(57)【要約】【課題】本発明は、電源アダプタのサイズを増大させなくとも、充電電流を増加して充電時間を短縮することができる充電制御回路及びそれを備えた電子装置を提供する。【解決手段】本発明に係る充電制御回路は、電子装置の充電ポートと電池との間に接続され、充電制御チップ及び該充電制御チップと電池との間に並列に接続された第一抵抗と充電電流調整ユニットを備える。充電制御チップは、電池を充電するように電池に一定の電圧を提供する。充電電流調整ユニットは、第二抵抗及びスイッチユニットを備え、スイッチユニットは、装置の電源がオンの状態であるかオフの状態であるかを検出し、電子装置の電源がオンになった場合、スイッチユニットはオフになり、第二抵抗と電池との間の接続は切断され、電子装置の電源がオフになった場合、スイッチユニットはオンになり、電池は第二抵抗に接続される。【選択図】図１
2014230478.tif 000002
【特許請求の範囲】
【請求項１】
電源アダプタと接続するための充電ポート、電池及び前記充電ポートと前記電池との間に接続される充電制御回路を備え、
充電制御回路は、第一ピン、第二ピン及び第三ピンを含む充電制御チップを備え、
前記第一ピンは、前記充電ポートに接続され、
前記充電制御チップは、前記充電ポートを介して前記電源アダプタからの電力を受けて前記電池を充電するように前記電池に一定の電圧を提供するための電子装置において、
前記充電制御回路は、
前記充電制御チップの第二ピンに接続される第一端部及び前記電池に接続される第二端部を備え、前記充電制御チップの第三ピンが前記第二端部に接続される第一抵抗と、
前記充電制御チップの第二ピンと前記電池との間に前記第一抵抗と並列に接続され、前記充電制御チップの第二ピンと前記電池との間に直列に接続される第二抵抗及びスイッチユニットを備え、前記スイッチユニットが前記電子装置の電源がオンの状態であるかオフの状態であるかを検出し、前記電子装置の電源がオンになった場合、前記スイッチユニットはオフになり、これにより、前記第二抵抗と前記電池との間の接続は切断され、前記電子装置の電源がオフになった場合、前記スイッチユニットはオンなり、これにより、前記電池は前記第二抵抗に接続される充電電流調整ユニットと、
を備えることを特徴とする電子装置。
【請求項２】
前記充電制御チップの第二ピンと第三ピンとの間の電圧は、前記第一抵抗の両端の間の電圧に比例し、
前記充電制御チップは、前記第二ピンと前記第三ピンとの間の電圧を検出することによって前記第一抵抗の両端の間の電圧を検出し、且つ第一抵抗の両端の間の電圧を一定値に留めるように、検出された電圧に基づいて充電電流を調整することを特徴とする請求項１に記載の電子装置。
【請求項３】
前記スイッチユニットは、ＭＯＳＦＥＴ及び検出ユニットを備え、
前記ＭＯＳＦＥＴのソース電極は前記第二抵抗に接続され、
ドレイン電極は前記電池に接続され、
ゲート電極は前記検出ユニットに接続され、前記検出ユニットは、前記電子装置の電源がオンの状態であるかオフの状態であるかを検出し、
前記電子装置の電源がオンになった場合、前記検出ユニットは、前記ＭＯＳＦＥＴにハイレベルの電圧を出力し、前記ＭＯＳＦＥＴをオフにし、
前記電子装置の電源がオフになった場合、前記検出ユニットは、前記ＭＯＳＦＥＴにローレベルの電圧を出力し、前記ＭＯＳＦＥＴをオンにすることを特徴とする請求項１又は２に記載の電子装置。
【請求項４】
電源アダプタと接続するための充電ポート及び電池を備える電子装置に応用され、且つ前記充電ポートと前記電池との間に接続され、第一ピン、第二ピン及び第三ピンを含む充電制御チップを備え、前記第一ピンは、前記充電ポートに接続される充電制御回路において、
前記充電制御チップの第二ピンに接続された第一端部及び前記電池に接続された第二端部を備え、前記充電制御チップの第三ピンが前記第二端部に接続されている第一抵抗と、
前記充電制御チップの第二ピンと前記電池との間に前記第一抵抗と並列に接続され、前記充電制御チップの第二ピンと前記電池との間に直列に接続される第二抵抗及びスイッチユニットを備え、前記スイッチユニットが前記電子装置の電源がオンの状態であるかオフの状態であるかを検出し、前記電子装置の電源がオンになった場合、前記スイッチユニットはオフになり、これにより、前記第二抵抗と前記電池との間の接続は切断され、前記電子装置の電源がオフになった場合、前記スイッチユニットはオンになり、これにより、前記電池は前記第二抵抗に接続される充電電流調整ユニットと、
を備えることを特徴とする充電制御回路。
【発明の詳細な説明】
【技術分野】
【０００１】
本発明は、充電制御回路及びそれを備えた電子装置に関するものである。
【背景技術】
【０００２】
携帯電話等の電子装置の発展に伴い、電子装置の電池容量も大きくなっているため、充電時間が長くなっている。従って、充電速度を向上させるために、大きなサイズの電源アダプタを使用することよって充電電流を増加させる必要がある。しかし、大きなサイズの電源アダプタは、携帯に不便である。
【発明の概要】
【発明が解決しようとする課題】
【０００３】
前記課題を解決するために、本発明は、電源アダプタのサイズを増大させなくとも、充電電流を増加して充電時間を短縮することができる充電制御回路及びそれを備えた電子装置を提供する。
【課題を解決するための手段】
【０００４】
本発明に係る電子装置は、電源アダプタと接続するための充電ポート、電池及び前記充電ポートと前記電池との間に接続される充電制御回路を備える。前記充電制御回路は、第一ピン、第二ピン及び第三ピンを含む充電制御チップを備える。前記第一ピンは、前記充電ポートに接続され、前記充電制御チップは、前記充電ポートを介して前記電源アダプタからの電力を受けて前記電池を充電するように前記電池に一定の電圧を提供する。前記充電制御回路は、前記充電制御チップの第二ピンに接続される第一端部及び前記電池に接続される第二端部を備え、前記充電制御チップの第三ピンが前記第二端部に接続される第一抵抗と、前記充電制御チップの第二ピンと前記電池との間に前記第一抵抗と並列に接続され、前記充電制御チップの第二ピンと前記電池との間に直列に接続された第二抵抗及びスイッチユニットを備え、前記スイッチユニットは前記電子装置の電源がオンの状態であるかオフの状態であるかを検出し、前記電子装置の電源がオンになった場合、前記スイッチユニットはオフになり、これにより、前記第二抵抗と前記電池との間の接続は切断され、前記電子装置の電源がオフになった場合、前記スイッチユニットはオンになり、これにより、前記電池は前記第二抵抗に接続される充電電流調整ユニットと、を備える。
【０００５】
本発明に係る充電制御回路は、電源アダプタと接続するための充電ポート及び電池を備える電子装置に応用され、且つ前記充電ポートと前記電池との間に接続され、第一ピン、第二ピン及び第三ピンを含む充電制御チップを備える。前記第一ピンは、前記充電ポートに接続される。前記充電制御回路は、さらに、前記充電制御チップの第二ピンに接続される第一端部及び前記電池に接続される第二端部を備え、前記充電制御チップの第三ピンが前記第二端部に接続される第一抵抗と、前記充電制御チップの第二ピンと前記電池との間に前記第一抵抗と並列に接続され、前記充電制御チップの第二ピンと前記電池との間に直列に接続される第二抵抗及びスイッチユニットを備え、前記スイッチユニットは前記電子装置の電源がオンの状態であるかオフの状態であるかを検出し、前記電子装置の電源がオンになった場合、前記スイッチユニットはオフになり、これにより、前記第二抵抗と前記電池との間の接続は切断され、前記電子装置の電源がオフになった場合、前記スイッチユニットはオンになり、これにより、前記電池に前記第二抵抗を接続する充電電流調整ユニットと、を備える。
【発明の効果】
【０００６】
従来の技術と比べて、本発明の充電制御回路及び電子装置において、充電電流調整ユニットによって電子装置の電源がオンの状態であるかオフの状態であるかを検出し、電子装置の電源がオフになった場合、電池は第二抵抗に接続される。これにより、充電電流を増大させ、電池の充電時間を短縮できる。従って、電源アダプタのサイズを増大させる必要はない。
【図面の簡単な説明】
【０００７】
【図１】本発明の実施形態に係る充電制御回路を有する電子装置の回路図である。
【発明を実施するための形態】
【０００８】
以下、図面を参照して、本発明の実施形態について説明する。
【０００９】
図１を参照すると、本発明の実施形態に係る電子装置１００は、充電ポート１０、充電制御回路２０及び電池３０を備える。充電制御回路２０は、充電ポート１０と電池３０との間に電気的に接続されている。また、充電ポート１０は、電気的に電源アダプタ２００に接続され、電源アダプタ２００からの電力を受け取る。
【００１０】
充電制御回路２０は、充電制御チップ２１、第一抵抗Ｒ１及び充電電流調整ユニット２２を備える。充電制御チップ２１は、充電ポート１０を介して電源アダプタ２００からの電力を受けて電池３０を充電するように該電池３０に一定の電圧を提供する。充電制御チップ２１は、第一ピンＰｉｎ１、第二ピンＰｉｎ２及び第三ピンＰｉｎ３を備える。第一ピンＰｉｎ１は、電源アダプタ２００によって供給される電力を受け取るよう充電ポート１０に接続されている。第一抵抗Ｒ１の第一端部Ｐ１は、充電制御チップ２１の第二ピンＰｉｎ２に接続され、第一抵抗Ｒ１の第二端部Ｐ２は、電池３０に接続される。第二ピンＰｉｎ２は、第一抵抗Ｒ１を介して電池３０に充電電流を出力する。第三ピンＰｉｎ３は、第一抵抗Ｒ１の第二端部Ｐ２に接続される。充電制御チップ２１は、第二ピンＰｉｎ２と第三ピンＰｉｎ３との間の電圧を検出することによって第一抵抗Ｒ１の両端の間の電圧を検出し、且つ第一抵抗Ｒ１の両端の間の電圧を一定値に留めるように、検出された電圧に基づいて第二ピンＰｉｎ２によって出力した電流を調整する。本実施形態において、第二ピンＰｉｎ２と第三ピンＰｉｎ３との間の電圧は、第一抵抗Ｒ１の両端の間の電圧に比例する。これにより、第二ピンＰｉｎ２と第三ピンＰｉｎ３との間の電圧も一定の値を有する。
【００１１】
充電電流調整ユニット２２の両端は、第一抵抗Ｒ１の第一端部Ｐ１及び第二端部Ｐ２と接続される。即ち、充電電流調整ユニット２２及び第一抵抗Ｒ１は、充電制御チップ２１の第二ピンＰｉｎ２と電池３０との間に並列に接続されている。充電電流調整ユニット２２は、第二抵抗Ｒ２及びスイッチユニット２２０を備える。第二抵抗Ｒ２及びスイッチユニット２２０は、充電制御チップ２１の第二ピンＰｉｎ２と電池３０との間に接続される。スイッチユニット２２０は、電子装置１００の電源がオンの状態であるかオフの状態であるかを検出する。電子装置１００の電源がオンになった場合、スイッチユニット２２０はオフになり、第二抵抗Ｒ２と電池３０との間の接続は切断される。電子装置１００の電源がオフになった場合、スイッチユニット２２０はオンになり、電池３０は第二抵抗Ｒ２に接続される。第二抵抗Ｒ２が電池３０に接続される前は、第二ピンＰｉｎ２と第三ピンＰｉｎ３との間の抵抗値は、第一抵抗Ｒ１の抵抗値とほぼ等しい。第二抵抗Ｒ２が電池３０に接続されると、第二ピンＰｉｎ２と第三ピンＰｉｎ３との間の抵抗値は、互いに並列な第一抵抗Ｒ１と第二抵抗Ｒ２の抵抗値とほぼ等しい。即ち、第二抵抗Ｒ２が電池３０に接続された場合、第二ピンＰｉｎ２と第三ピンＰｉｎ３との間の抵抗値は低減される。充電制御チップ２１は、第二ピンＰｉｎ２と第三ピンＰｉｎ３との間の電圧が一定値に留まることを確保するために、第二ピンＰｉｎ２から電池３０に出力する電流を増大させる。即ち、電子装置１００の電源がオフになる時の充電電流が増大されるため、電池３０の充電時間が短縮される。
【００１２】
本実施形態において、スイッチユニット２２０は、金属酸化物半導体電界効果トランジスタ（ＭＯＳＦＥＴ）Ｑ１及び検出ユニット２２００を備える。ＭＯＳＦＥＴＱ１のソース電極は、第二抵抗Ｒ２に接続され、ＭＯＳＦＥＴＱ１のドレイン電極は、電池３０に接続され、ＭＯＳＦＥＴＱ１のゲート電極は、検出ユニット２２００に接続される。本実施形態において、ＭＯＳＦＥＴＱ１は、Ｐチャネル型のＭＯＳＦＥＴである。検出ユニット２２００は、電子装置１００の電源がオンの状態であるかオフの状態であるかを検出する。電子装置１００の電源がオンになった場合、検出ユニット２２００は、ＭＯＳＦＥＴＱ１にハイレベルの電圧を出力し、ＭＯＳＦＥＴＱ１をオフにする。電子装置１００の電源がオフになった場合、検出ユニット２２００は、ＭＯＳＦＥＴＱ１にローレベルの電圧を出力し、ＭＯＳＦＥＴＱ１をオンにする。
【００１３】
本実施形態において、検出ユニット２２００は、電子装置１００の電源システムポートであり、電子装置１００の電源がオンになる時にハイレベルの電圧を出力し、電子装置１００の電源がオフになる時にローレベルの電圧を出力する。他の実施形態において、検出ユニット２２００は、処理チップであり、電子装置１００の電源がオンになる時にハイレベルの電圧を出力し、電子装置１００の電源がオフになる時にローレベルの電圧を出力する。
【００１４】
他の実施形態において、ＭＯＳＦＥＴＱ１は、Ｎチャネル型のＭＯＳＦＥＴ又はスイッチ機能を有する他の電子素子であっても良い。
【符号の説明】
【００１５】
１００  電子装置
２００  電源アダプタ
１０  充電ポート
２０  充電制御回路
３０  電池
２１  充電制御チップ
２２  充電電流調整ユニット
２２０  スイッチユニット
２２００  検出ユニット
Ｐｉｎ１  第一ピン
Ｐｉｎ２  第二ピン
Ｐｉｎ３  第三ピン
Ｒ１  第一抵抗
Ｒ２  第二抵抗
Ｑ１  金属酸化物半導体電界効果トランジスタ
【図１】
2014230478.tif 000003